(57)【特許請求の範囲】
【請求項１】
複数の家電機器をネットワークで接続して、デジタル信号により相互通信を可能にした分散型ホームネットワークであって、
放送波を受信して映像情報を含むデジタル信号をネットワークに送出するチューナユニットと、
前記ネットワークに接続した各種の前記家電機器を操作するために、前記ネットワークに接続した前記家電機器から送信されるデジタル信号を受信して、映像として表示するクライアントユニットと、
前記チューナユニットから送信したデジタル信号を蓄積すると共に、前記クライアントユニットから出力される制御要求により、映像情報を含むデジタル信号を前記ネットワークに送出するサーバユニットとを少なくとも備え、
前記チューナユニットから出力される信号を前記サーバユニットに記録する際には、
前記クライアントユニットから出力される前記制御要求を前記サーバユニットで中継してから前記チューナユニットに送信し、前記チューナユニットは前記サーバユニットを中継して送信された前記制御要求を受信して前記チューナユニットの操作画面データを前記サーバユニットに送信し、前記サーバユニットは前記チューナユニットから送信された前記操作画面データを受信して、前記チューナユニットの前記操作画面データを前記サーバユニットの操作画面の中に取り込んで前記サーバユニットの操作画面の一部としたデータを、前記クライアントユニットに送信する構成を有することを特徴とする分散型ホームネットワーク。
【発明の詳細な説明】
【０００１】
【発明の属する技術分野】
本発明は、複数の家電機器が接続されたホームネットワークに係り、特に集中管理を行わない分散型ホームネットワークに関するものである。
【０００２】
【従来の技術】
従来より、家庭内の自動化システムとして、家庭内に通信路（バス）を設け、各家電機器をこの通信路に接続することにより、コントローラによる集中制御を可能にするシステムが提案されている。
このシステムは、コントローラを操作するだけで、離れたところにある家電機器であっても通信路に接続されていれば、制御することができるものである。
また、コントローラを電話回線と接続することにより、家の外からも制御可能となっている。
【０００３】
【発明が解決しようとする課題】
ところが、この従来のシステムでは、将来、新しい種類のデータを扱う家電機器を増設する場合には、コントローラのソフトウェアを新しい種類のデータが取り扱えるように対応しなければならず、拡張性に乏しいという課題があった。そこで本発明は、分散管理をすることにより、上記課題を解決することを目的とする。
【０００４】
【課題を解決するための手段】
上記目的を達成するために、本発明は下記の構成を有する分散型ホームネットワークを提供する。即ち、
複数の家電機器をネットワークで接続して、デジタル信号により相互通信を可能にした分散型ホームネットワークであって、
放送波を受信して映像情報を含むデジタル信号をネットワークに送出するチューナユニットと、
前記ネットワークに接続した各種の前記家電機器を操作するために、前記ネットワークに接続した前記家電機器から送信されるデジタル信号を受信して、映像として表示するクライアントユニットと、
前記チューナユニットから送信したデジタル信号を蓄積すると共に、前記クライアントユニットから出力される制御要求により、映像情報を含むデジタル信号を前記ネットワークに送出するサーバユニットとを少なくとも備え、
前記チューナユニットから出力される信号を前記サーバユニットに記録する際には、
前記クライアントユニットから出力される前記制御要求を前記サーバユニットで中継してから前記チューナユニットに送信し、前記チューナユニットは前記サーバユニットを中継して送信された前記制御要求を受信して前記チューナユニットの操作画面データを前記サーバユニットに送信し、前記サーバユニットは前記チューナユニットから送信された前記操作画面データを受信して、前記チューナユニットの前記操作画面データを前記サーバユニットの操作画面の中に取り込んで前記サーバユニットの操作画面の一部としたデータを、前記クライアントユニットに送信する構成を有することを特徴とする分散型ホームネットワーク。
【０００５】
【発明の実施の形態】
本発明は、制御機能をそれぞれの機器に分散して持たせることにより、ネットワークに接続された一部の機器が停止しても他の機器の使用には影響がでないようにする。また、制御機能をそれぞれの家電機器が分散して持っているため、新しい種類のデータを扱う家電機器を増設する場合には、その種類のデータの送受信可能な家電機器が、増設する機器のほかに一つでもあればその間での通信が可能となる。
【０００６】
まず、本発明の分散型ホームネットワークの一実施例を図面と共に説明する。
図１は家庭内での家電機器の設置例を示す構成図である。
同図において、  バス（ＬＡＮ：ローカル・エリア・ネットワーク）１には、家庭内で使用される各家電機器が接続されている。ここでは、ゲートウェイ＆集合チューナ２、ホームサーバ３、Ｄ−ＶＨＳ（商標）ビデオテープレコーダ４、ホームＮＣ（ネットワーク・コンピュータ）５、ホーム・コンピュータ７、ＤＶＣポート８が接続されており、ホームＮＣ５にはＰＤＰディスプレイ装置６が接続され、ＤＶＣ（デジタル・ビデオ・カセット）ポート８には、ＤＶＣビデオカメラ９が接続されている。
【０００７】
バス１には各機器間で通常の制御を行うコマンドを伝達する機能の他に、リアルタイムで動画／音声データを送受信するための複数のチャンネルが存在し、任意の機器間での動画／音声データの送受信がチャンネル数だけ可能である。そして、それぞれのチャンネルにはＭＰＥＧ圧縮された動画／音声データを流すことができ、任意の機器が他の機器に対してＭＰＥＧデータリクエスト信号を出力することによって自動的に必要チャンネルが割り当てられる。
このバス１に接続される各家電機器は、ユーザが直接対話する表示画面とブラウザ機能とを有するクライアントユニットと、サーバ機能を有するサーバユニットとに分けられる。しかし、一つの家電機器でブラウザ機能とサーバ機能とを有するクライアント兼サーバユニットとなっているものもある。
【０００８】
同図に示す各家電機器では、ホームＮＣ５とＰＤＰディスプレイ装置６がクライアントユニットであり、ゲートウェイ＆集合チューナ２、ホームサーバ３、Ｄ−ＶＨＳ（商標）ビデオテープレコーダ４及びＤＶＣポート８とＤＶＣビデオカメラ９がサーバユニットである。そして、ホーム・コンピュータ７は、クライアント兼サーバユニットとなっている。
【０００９】
このブラウザ機能とは、例えば、現在インターネットで広く使用されているＨＴＴＰプロトコルを使用してＨＴＭＬ型のデータを表示できるいわゆるＷＷＷブラウザ機能であり、サーバ機能とは、クライアントユニットからのリクエストに応じてＨＴＴＰプロトコルを使用してＨＴＭＬデータなどのデータを送信する機能である。
また、それぞれのユニットには動画／音声信号を送受信するために、ＭＰＥＧ受信機能またはＭＰＥＧ送信機能またはその両方を持たせている。但し、同図中にはないが、特殊な場合としてブラウザ機能のみを持ちＭＰＥＧ送信機能もＭＰＥＧ受信機能も持たないリモコンユニットもある。
【００１０】
次に各家電機器の内部構成の主要部分について説明する。
図２に示すゲートウェイ＆集合チューナ２は、外部から家庭内に入る全ての情報の入り口となるユニットであり、地上波放送や衛星放送（ＢＳ、ＣＳ）などの各種テレビ放送を受信するテレビチューナ２１、インターネットへの出入り口であるダイヤルアップルータ２３を有するサーバユニットである。そして、バス１に接続されたクライアントユニットからＨＴＴＰサーバ２４がＭＰＥＧデータリクエスト信号を受信した場合には、テレビチューナ２１で受信したＴＶ画像／音声信号をＭＰＥＧエンコーダ２２に入力してＭＰＥＧ信号に変換し、リクエストしたクライアントユニットに送信する。また、インターネットのＷＷＷ閲覧に対するデータリクエスト信号をＨＴＴＰサーバ２４が受信した場合には、ダイヤルアップルータ２３を経由してインターネットに接続してＨＴＭＬなどで記述されている所望のデータをＨＴＴＰサーバ２４から送信する。
【００１１】
図３に示すホームサーバ３は、ハードディスク等のリムーバブルでない固定メディア型の大容量記憶装置３１とＨＴＴＰサーバ３２とを有するものであり、動画情報および音声情報の記録再生機能を有するサーバユニットである。そして、バス１に接続されたクライアントユニットにより指定される他のサーバユニットからのＭＰＥＧ信号を記録するようリクエスト信号をＨＴＴＰサーバ３２が受信すると、指定される他のサーバユニットに対してＭＰＥＧリクエスト信号を発生し、送信されてきたＭＰＥＧ信号を内蔵する大容量記憶装置３１に記録する。またクライアントユニットからのＭＰＥＧデータリクエスト信号に対しては、既に大容量記憶装置３１に記録されているＭＰＥＧデータを再生して送信する。
【００１２】
図４に示すＤ−ＶＨＳビデオテープレコーダ４は、リムーバブル型のテープカセットに対してデジタル信号を記録する記録再生装置であり、テープカセット記録／再生機構４１、ＨＴＴＰサーバ４２、ＭＰＥＧエンコーダ４３を備え、動画および音声情報の記録再生機能を有している。機能的にはホームサーバ３とほぼ同じであるが、ストレージ・メディア（記録媒体）としてビデオテープカセットを使用するため、記録したデータをパッケージ・メディアとして別の場所に移動する必要がある場合や長期間保存する必要がある場合には、ホームサーバ３よりも便利な記録再生装置である。同図に示す、Ｄ−ＶＨＳビデオテープレコーダ４は、従来のアナログ方式で記録されたビデオテープの再生を行うことも考慮して、内部にＭＰＥＧエンコーダ４３を備えている。そして、アナログ方式で記録されたビデオテープを再生する場合は、アナログ信号として再生される映像／音声信号をＭＰＥＧエンコーダ４３に入力してＭＰＥＧ信号に変換してから送信する。なお、デジタル信号で記録／再生を行う場合には、ＭＰＥＧエンコーダ４３を介さずに直接、ＭＰＥＧ信号の記録／再生を行っている。
【００１３】
図５に示すホームＮＣ（Ｈｏｍｅ  Ｎｅｔｗｏｒｋ  Ｃｏｍｐｕｔｅｒ）５は、ＷＷＷブラウザ５１とＭＰＥＧデコーダ５２とを備えたユニットであり、バス１に接続されている任意のサーバユニットに対してデータリクエスト信号を送信し、送られてくるデータをＰＤＰディスプレイ６に表示する装置である。このデータリクエスト信号には、通常のＨＴＭＬ型のデータを要求するものとＭＰＥＧ信号を要求するＭＰＥＧデータリクエスト信号とがあり、ＨＴＭＬ型のデータを要求する場合はｗｗｗブラウザ５１を経由し、ＭＰＥＧデータリクエスト信号の場合はＭＰＥＧデコーダ５２を経由して、ビデオ信号として出力する。このホームＮＣ５はアナログビデオ信号を映像出力とし、アナログ映像信号を入力とするＰＤＰディスプレイ装置６と組み合わせて画像を表示している。
【００１４】
また、ホーム・コンピュータ７はホームＮＣ５の機能をパーソナルコンピュータ（ＰＣ）とＰＣ上で動作するソフトウェアで実現したものであり、ホームＮＣ５と同様クライアントユニットとしての使用の他に、通常のＰＣのソフトウェアを実行することが可能である。そして、ハードディスク装置等の記録媒体に各種データを蓄積して置くことができ、サーバユニットとしても使用可能である。
【００１５】
図６に示すＤＶＣポート８はＤＶＣビデオカメラ９をバス１に接続するためのユニットである。ＤＶＣビデオカメラ９は出力としてＤＶＣフォーマットのデジタル信号を出力するため、ＨＴＴＰサーバ８２にて受信するデータリクエスト信号に対しては、ＤＶＣ→ＭＰＥＧ変換装置８１にて、ＤＶＣフォーマットのデジタル信号をＭＰＥＧ信号に変換し、バス１に接続されているクライアントユニットに送信するように構成している。
【００１６】
ユーザがこのホームネットワーク上の各家電機器を使用する場合は、常にクライアントユニットから操作することになる。本実施例では、クライアントユニットとしてホームＮＣ５とホーム・コンピュータ７とが接続されているが、どちらもホームネットワークに対するクライアントユニットとしての機能は同一であるので、以降は、ホームＮＣ５から操作を行うという前提で説明する。なお、基本的にクライアントユニットはこのシステム内で唯一のものではなく、どのクライアントユニットから操作を行っても同じ内容の操作を行うことができる。
【００１７】
まず、ホームＮＣ５で集合チューナを選択して、見たいチャンネルを選択する場合について図面と共に説明する。
図７及び図８は、それぞれサーバ選択、チャンネル選択の画面例であり、図９は、集合チューナでチャンネルを選択し、映像を見る場合の通信手順を示すフローチャート図である。
【００１８】
クライアントユニットであるホームＮＣ５を起動すると、まずネットワークに接続されているサーバユニットを検索する（ステップ１０１）。そして、ユーザがリモコンのボタン押下などによる要求を出すことにより、図７に示すようなサーバユニットの一覧表をＰＤＰディスプレイ装置６の表示画面に表示する（ステップ１０２）。なお、本実施例の構成ではゲートウェイユニットと集合チューナは一つの筐体にまとまっているが、提供するサービスとしては、インターネットへの接続とテレビの視聴という別のものであるため、この一覧上表では、別々に表示している。そして、このメニューはリモコンのボタン操作によって表示／非表示を切り替えることができる。
【００１９】
ここで見たいサーバユニット（ここでは、集合チューナ）を選択すると、ホームＮＣ５は集合チューナに対してデータリクエスト信号を送信する（ステップ１０３）。集合チューナは、データリクエスト信号を受信すると、チャンネル選択画面データをＨＴＭＬデータにしてホームＮＣ５に送信する（ステップ１０４）。
ホームＮＣ５は、図８に示すように、受信したチャンネル選択画面データをＰＤＰディスプレイ装置６に表示し、ユーザに対して視聴したいチャンネルの選択を行わせる（ステップ１０５）。
ユーザがリモコンなどを操作してチャンネルを選択すると、ＭＰＥＧデータリクエスト信号として、チャンネル制御に関するメニュー（ＨＴＭＬデータ）を集合チューナに送信する（ステップ１０６）。
【００２０】
集合チューナでは、受信したＭＰＥＧデータリクエスト信号に基づいて受信チャンネルを変更し、受信した画像・音声データをＭＰＥＧデータに変換してホームＮＣ５に送信する（ステップ１０７）。
ホームＮＣ５は、受信したＭＰＥＧデータを復号してＰＤＰディスプレイ装置６に表示することにより、希望するチャンネルを視聴することができる（ステップ１０８）。
【００２１】
次に、ゲートウェイユニットを介してインターネットのＷＷＷを閲覧する場合について図１０〜図１２を参照しながら説明する。なお、ＰＤＰディスプレイ装置６にユニット一覧が表示されるまでは、上記したテレビ視聴の場合と全く同じである。
【００２２】
クライアントユニットであるホームＮＣ５を起動すると、まずネットワークに接続されているサーバユニットを検索する（ステップ１１１）。そして、ユーザがリモコンのボタン押下などによる要求を出すことにより、図１０に示すようなサーバユニットの一覧表をＰＤＰディスプレイ装置６の表示画面に表示する（ステップ１１２）。ここで見たいサーバユニットとして、ゲートウェイを選択すると、ホームＮＣ５はゲートウェイに対してデータリクエスト信号を送信する（ステップ１１３）。ゲートウェイは、データリクエスト信号を受信すると、インターネットのＷＷＷ（ワールド・ワイド・ウエッブ）にアクセスするためのユーザインタフェイス画面データをＨＴＭＬデータにしてホームＮＣ５に送信する（ステップ１１４）。
【００２３】
ホームＮＣ５は、図１１に示すように、受信したユーザインタフェイス画面データをＰＤＰディスプレイ装置６に表示する。この図では、ホームＮＣ５の操作手段としてポインティングデバイスのみが提供されている場合を考慮して、ソフトウェアキーボードを表示している。そして、アクセスしたい（見たい）ＷＷＷのＵＲＬを画面上で入力できるようになっている。しかし、クライアントユニットがホーム・コンピュータ７のように、キーボードによる操作が可能である場合は、ソフトウェアキーボードを表示する必要はない。この場合、ゲートウェイユニットが、クライアントの種別を認識して送り出すインターフェイス画面の内容を変更している。
【００２４】
ユーザが、ソフトウェアキーボードまたはキーボードを操作して、所望のＷＷＷのＵＲＬを入力すると（ステップ１１５）、ＨＴＭＬデータリクエスト信号として、ＵＲＬ（ＨＴＭＬデータ）をゲートウェイユニットに送信する（ステップ１１６）。
【００２５】
ゲートウェイユニットは、受信したＨＴＭＬデータリクエスト信号の示すＵＲＬに基づいてインターネットに接続し（ステップ１１７）、インターネット上の指定のＨＴＭＬデータを取り込んで（ステップ１１８）、要求元のクライアントユニットであるホームＮＣ５に転送する（ステップ１１９）。
ホームＮＣ５は、受信したＨＴＭＬデータをＰＤＰディスプレイ装置６の画面上にＷＷＷのデータとして表示する（ステップ１２０）。この場合ゲートウェイユニットはいわゆるＷＷＷデータの中継をするプロキシとして動作している。
【００２６】
さらに、ホームＮＣ５を操作してホームサーバ３に記録されている映像／音声信号を再生する場合について図１３〜図１６を参照しながら説明する。この場合も、ＰＤＰディスプレイ装置６にユニット一覧が表示されるまでは、上記したテレビ視聴の場合やインターネットのＷＷＷを閲覧する場合と全く同じである。
【００２７】
クライアントユニットであるホームＮＣ５を起動すると、まずネットワークに接続されているサーバユニットを検索する（ステップ１２１）。そして、ユーザがリモコンのボタン押下などによる要求を出すことにより、図１３に示すようなサーバユニットの一覧表をＰＤＰディスプレイ装置６の表示画面に表示する（ステップ１２２）。ここで見たいサーバユニットとして、ホームサーバ３を選択すると、ホームＮＣ５はホームサーバ３に対してデータリクエスト信号を送信する（ステップ１２３）。
【００２８】
ホームサーバ３は、データリクエスト信号を受信すると、ホームサーバ３の操作インターフェイス画面データをＨＴＭＬデータにしてホームＮＣ５に送信する（ステップ１２４）。
ホームＮＣ５は、図１４に示すように、受信した操作インターフェイス画面データをＰＤＰディスプレイ装置６に表示する。この操作インターフェイス画面には、既に記録されている映像のタイトル一覧とホームサーバ３の操作ボタンが表示される。このタイトル一覧に表示される内容は、ユーザが入力装置としてキーボードが使用できる場合は番組名を自由に付加することができるが、何もしない場合は記録した時間とチャンネル等を自動的に付加したものを表示する（ステップ１２５）。
【００２９】
そして、既に記録されたものを再生する場合は、見たいタイトルを選択して再生ボタンを押すことにより（図１５）、ＭＰＥＧデータリクエスト信号として、記録されている番組の再生制御に関するメニュー（ＨＴＭＬデータ）をホームサーバ６に送信する（ステップ１２６）。
ホームサーバ３は、受信したＭＰＥＧデータリクエスト信号で指定されたＭＰＥＧデータをホームＮＣ５に送信する（ステップ１２７）。
ホームＮＣ５は、受信したＭＰＥＧデータを復号してＰＤＰディスプレイ装置６に表示することにより、希望する記録済みの番組を視聴することができる（ステップ１２８）。
【００３０】
なお、図１４及び図１５に示したホームサーバ操作メニュー自体は、リモコンの操作により、表示／非表示が切り替え可能であるので、映像を視聴している間はメニューを消去し、操作を行いたい任意の時点で再度メニューを表示させ、停止ボタン等の押下によって再生の停止等の操作を行うことができる。
【００３１】
最後に、ホームＮＣ５を操作して集合チューナで受信した映像／音声信号をホームサーバ３に記録する場合について図１７〜図１９を参照しながら説明する。なお、ＰＤＰディスプレイ装置６にホームサーバ３の操作画面を表示させるまでは、上記したホームサーバ３に記録されている映像／音声信号を再生する場合と全く同じである。
【００３２】
クライアントユニットであるホームＮＣ５を起動すると、まずネットワークに接続されているサーバユニットを検索する（ステップ１３１）。そして、ユーザがリモコンのボタン押下などによる要求を出すことにより、サーバユニットの一覧表（図１３参照）をＰＤＰディスプレイ装置６の表示画面に表示する（ステップ１３２）。ここで見たいサーバユニットとして、ホームサーバ３を選択すると、ホームＮＣ５はホームサーバ３に対してデータリクエスト信号を送信する（ステップ１３３）。
ホームサーバ３は、データリクエスト信号を受信すると、ホームサーバ３の操作インターフェイス画面データをＨＴＭＬデータにしてホームＮＣ５に送信する（ステップ１３４）。
【００３３】
ホームＮＣ５は、受信した操作インターフェイス画面データをＰＤＰディスプレイ装置６に表示する（図１４参照）。この操作インターフェイス画面には、既に記録されている映像のタイトル一覧とホームサーバ３の操作ボタンが表示される。
ここで操作インターフェイス画面の録画ボタンを押すと（ステップ１３５）、ホームサーバ３はネットワーク上を検索し（ステップ１３６）、記録可能なＭＰＥＧデータを出力することのできるサーバユニットを列挙した録画元一覧を作成して（ステップ１３７）、図１７に示すように、録画元の候補として一覧表示を行う（ステップ１３８）。なお、この例ではゲートウェイユニットはＨＴＭＬデータの送出はできるがＭＰＥＧデータの送出はできないため、一覧表には列挙されていない。
【００３４】
ユーザは、録画元として集合チューナを選択すると（ステップ１３９）、ホームサーバ３は集合チューナに対してデータリクエスト信号を送信する（ステップ１４０）。集合チューナは、データリクエスト信号を受信すると、チャンネル選択画面データをＨＴＭＬデータにしてホームサーバ３に送信する。ホームサーバ３は受信した集合チューナの操作画面のＨＴＭＬデータを取り込んで、ホームサーバ３の操作画面の一部としてホームＮＣ５に転送する（ステップ１４１）。このようにすることにより、録画元として他の機器を選択した場合でも、その録画元の機器の機能に適した操作画面を表示することができる。
ホームＮＣ５は、図１８に示すような操作画面データをＰＤＰディスプレイ装置６に表示し、ユーザに対して録画したいチャンネルの選択を行わせる（ステップ１４２）。
【００３５】
ユーザがリモコンなどを操作してチャンネルを選択すると、ＭＰＥＧデータリクエスト信号として、チャンネル制御に関するメニュー（ＨＴＭＬデータ）をホームサーバ３に送信する（ステップ１４３）。ホームサーバ３はそのＭＰＥＧデータリクエスト信号を自分からのリクエストとして集合チューナに転送する（ステップ１４４）。
集合チューナでは、受信したＭＰＥＧデータリクエスト信号に基づいて受信チャンネルを変更し、受信した画像・音声データをＭＰＥＧデータに変換してホームサーバ３に送信する（ステップ１４５）。
ホームサーバ３は受信するＭＰＥＧデータの記録を行うことにより、所望の番組の記録を行うことができる（ステップ１４６）。
【００３６】
なお、録画元のサーバユニットとしてＤ−ＶＨＳビデオテープレコーダ４やＤＶＣビデオカメラ９を選択した場合も同様の動作により、ホームサーバ３に記録することができる。すなわち、ホームサーバ３は選択されたユニットからの操作画面をホームＮＣ５に転送し、ホームＮＣ５からの要求を録画元のユニットに転送することで、任意のユニットが送出するＭＰＥＧデータを記録することができる。
【００３７】
【発明の効果】
本発明の分散型ホームネットワークは、各家電機器の制御機能をそれぞれの機器に分散して保持しているので、ネットワークに接続された一部の機器が停止しても他の機器の使用には支障がない。
また、制御機能をそれぞれのユニットに分散して持っているので、新しい種類のデータを扱うユニットを増設する場合でも、その新しい種類のデータを送信する家電機器とこの新しい種類のデータを受信する家電機器とだけがあれば良く、ネットワークに接続されている他の機器が対応できなくても、その間での通信が可能となるという効果がある。
【００３８】
さらに、チューナユニットから出力される信号をサーバユニットに記録する際に、クライアントユニットから送信される制御要求をサーバユニットで中継してからチューナユニットに送信し、チューナユニットの操作画面をサーバユニットの操作画面の中に取り込んで、クライアントユニットに出力するようにした場合には、チューナユニットの機能や操作内容が変更されたり、新たなチューナが追加されても、常に快適な操作画面を表示することができる。
【図面の簡単な説明】
【図１】本発明の分散型ホームネットワークの一実施例を示す構成図である。
【図２】ゲートウェイ＆集合チューナの例を示す構成図である。
【図３】ホームサーバの例を示す構成図である。
【図４】Ｄ−ＶＨＳの例を示す構成図である。
【図５】ホームＮＣの例を示す構成図である。
【図６】ＤＶＣポートの例を示す構成図である。
【図７】画面表示例を示す模式図である。
【図８】画面表示例を示す模式図である。
【図９】通信手順を説明するためのフローチャート図である。
【図１０】画面表示例を示す模式図である。
【図１１】画面表示例を示す模式図である。
【図１２】通信手順を説明するためのフローチャート図である。
【図１３】画面表示例を示す模式図である。
【図１４】画面表示例を示す模式図である。
【図１５】画面表示例を示す模式図である。
【図１６】通信手順を説明するためのフローチャート図である。
【図１７】画面表示例を示す模式図である。
【図１８】画面表示例を示す模式図である。
【図１９】通信手順を説明するためのフローチャート図である。
【符号の説明】
１  バス（ＬＡＮ）
２  ゲートウェイ＆集合チューナ
３  ホームサーバ
４  Ｄ−ＶＨＳビデオテープレコーダ
５  ホームＮＣ
６  ディスプレイ（ＰＤＰディスプレイ）
７  ホーム・コンピュータ
８  ＤＶＣポート
９  ＤＶＣビデオカメラ
【図１】
0003546662.tif 000002
【図２】
0003546662.tif 000003
【図３】
0003546662.tif 000004
【図４】
0003546662.tif 000005
【図５】
0003546662.tif 000006
【図６】
0003546662.tif 000007
【図７】
0003546662.tif 000008
【図８】
0003546662.tif 000009
【図９】
0003546662.tif 000010
【図１０】
0003546662.tif 000011
【図１１】
0003546662.tif 000012
【図１２】
0003546662.tif 000013
【図１３】
0003546662.tif 000014
【図１４】
0003546662.tif 000015
【図１５】
0003546662.tif 000016
【図１６】
0003546662.tif 000017
【図１７】
0003546662.tif 000018
【図１８】
0003546662.tif 000019
【図１９】
0003546662.tif 000020